(57)【要約】【課題】木片を数珠状に連結し、枕の表面に木の地肌を露出させることにより、天然木の醸し出す衛生感および通気性を改善して納涼感を促進させるようにした枕を提供することを目的とする。【解決手段】複数の駒体（１）に夫々穴（１７）が穿設されており、これらの穴（１７）の夫々に紐（５）を貫通させることにより、前記複数の駒体（１）が数珠状に連結された駒体群（２）として形成され、次いで、前記駒体群（２）を枕の幅方向に複数列並べ、これらの複数列の前記駒体群（２）の長手方向両端部が前記紐（５）を介して側板（３），（３）に結紐され、かつ、複数列の前記駒体群（２）の連結姿勢を枕の上下方向に変形自在とすることを特徴とする。【選択図】図１
0003126415.tif 000002
【実用新案登録請求の範囲】
【請求項１】
複数の駒体（１）に夫々穴（１７）が穿設されており、
これらの穴（１７）の夫々に紐（５）を貫通させることにより、
前記複数の駒体（１）が数珠状に連結された駒体群（２）として形成され、
次いで、前記駒体群（２）を枕の幅方向に複数列並べ、
これらの複数列の前記駒体群（２）の長手方向両端部が前記紐（５）を介して側板（３），（３）に結紐され、
かつ、複数列の前記駒体群（２）の連結姿勢を枕の上下方向に変形自在とすることを特徴とする枕。
【請求項２】
前記駒体（１）は、檜の木材を加工したものであることを特徴とする請求項１記載の枕。
【請求項３】
複数の前記駒体（１）の上面において、枕の長手方向両端部に夫々面取り（１４），（１４）が施されることを特徴とする請求項１記載の枕。
【考案の詳細な説明】
【技術分野】
【０００１】
この考案は、木片を紐で連結した枕に関する。詳しくは、檜の木材を加工した木片に紐を通して数珠状に連結することによってクッション性を高め、かつ、木の地肌を表に出すとともに隙間を設けて通気性を良好にすることにより納涼感を醸し出すようにした枕に関するものである。
【背景技術】
【０００２】
従来、木材を利用した枕 には、クッション材の代替として天然檜のチップを枕の中に充填することにより、檜の香りが快適な睡眠効果を促すものが有る。また、藤の茎を編んだ枕が有り、茎の編み目が通気性を促進するとともに藤に頭が触れるとひんやりとして涼しい。
【０００３】
枕については、数々のものが提案されており、その一例を以下に示す。即ち、自然な就寝姿勢を維持することに加え、衛生面に配慮しつつ、クッション材の代替として快適な睡眠効果を呈する充填材を使用し、且つ、この効果を効率よく発揮可能な枕であって、使用者個々の頚椎弧の深さに合わせることができるように高さ調整をも容易にした枕が提案されており、特に、充填材として天然檜粒体を使用する構成となっている（例えば、特許文献１参照）。
【０００４】
【特許文献１】特開２００６−６８１３７号公報
【考案の開示】
【考案が解決しようとする課題】
【０００５】
以上の通りであって、従来の枕には、次のような問題点が上げられる。
【０００６】
即ち、従来の枕の問題点は、檜のチップを充填材として使用し、この醸し出す香りが好まれるものの、枕の表材として綿、パンヤ等の天然素材、ポリエステル等の合成繊維、軟質ウレタンフォーム等の材料を使用するので、暑苦しい。夏の昼寝等に使用するには避けられがちである。
【０００７】
そこで、本考案の枕は、このような従来の抱える問題点を解決するためになされたもので、木片を数珠状に連結し、枕の表面に木の地肌を露出させることにより、天然木の醸し出す衛生感および通気性を改善して納涼感を促進させるようにした枕を提供することを目的としている。
【課題を解決するための手段】
【０００８】
そこで、本考案者等は、天然檜のチップ片から発せられる芳香成分による快適な森林浴等の効果に着目し、本考案ではチップ片より大きい檜の駒体を紐で繋ぎ合せることへと発展させ枕として試作したところ、香りによる効果のみならず通気性が良好であるという知見を得た。本考案の枕はかかる知見を基に具現化したもので、請求項１の考案は、複数の駒体（１）に夫々穴（１７）が穿設されており、これらの穴（１７）の夫々に紐（５）を貫通させることにより、前記複数の駒体（１）が数珠状に連結された駒体群（２）として形成され、次いで、前記駒体群（２）を枕の幅方向に複数列並べ、これらの複数列の前記駒体群（２）の長手方向両端部が前記紐（５）を介して側板（３），（３）に結紐され、かつ、複数列の前記駒体群（２）の連結姿勢を枕の上下方向に変形自在とすることを特徴とする。
【０００９】
また、請求項２の考案は、請求項１の考案の上記特徴に加えて、前記駒体（１）は、檜の木材を加工したものであることを特徴とする。
【００１０】
また、請求項３の考案は、請求項１の考案の上記特徴に加えて、複数の前記駒体（１）の上面において、枕の長手方向両端部に夫々面取り（１４），（１４）が施されることを特徴とする。
【考案の効果】
【００１１】
複数の駒体上面の角部に面取りを施し、次に紐を使って数珠状に連結した駒体群を枕本体として構成することにより、駒体群は頭の形状に倣って湾曲自在に変形するので、頭にフィットさせた状態で眠ることができる。また、自然木の駒体から発生するほのかな香りにより熟睡効果を高めることができる。しかも、複数列並べられた駒体群間に隙間が形成されるので通気性が促進され納涼感が醸し出される。
【考案を実施するための最良の形態】
【００１２】
本考案の実施の形態を、添付図面に示した本考案の実施例に基づいて以下に具体的に説明する。
【実施例】
【００１３】
先ず、本考案の実施例について、図１、２を参照しながら説明する。図１は、枕の全体斜視図である。図２は、同上、平面図である。図３は、同上、使用状態を示す側面図である。図４は駒体の詳細図である。
【００１４】
図1は本考案に係る枕の実施態様であり、複数の駒体を枕の長手方向に数珠状に連結して形成された駒体群を、枕の幅方向に複数列並べた状態を示す。詳細は、複数の駒体１の中を紐５が行き戻り貫通し、このことによって駒体群２として数珠状に繋ぎ合わされ、これらを枕Ｐの幅方向に３列配設されたものである。３列の駒体群２の長手方向の両端は夫々左右の側板３，３に通り抜けた紐５によって結紐される。一方の側板３の外側に駒体群２を側板３に結びつけるための紐５の結び目５１を示し、他方に戻り紐５２を示す。両方の側板３、３の上端は内側に向かって面取りした傾斜面３１を設け、さらに、この前後両端には、角面取り３２が施される。いずれも頭が角にぶつかっても痛みを軽減することができるように面取りが施されたものである。側板３，３の下方には、枕Ｐを強度補強するため、側板３，３の間に梁板４，４が差し渡される。駒体群２は３列を示したが、頭の大きさに応じて列数を増やすことができる。同様に、数珠状に連結される駒体１の数を随時増やすことも可能である。ここで、複数の駒体１を数珠状に連結した左右方向を枕の長手方向と称し、これと直角方向を枕の幅方向、複数の駒体１の厚み方向を枕の上下方向と称する。
【００１５】
枕Ｐを上から見た平面図として図２に示す。複数の駒体１が繋ぎ合わされて数珠状に連結され、互いに隣接する駒体の左右に傾斜面１４，１４が対向するように施される。複数の駒体が数珠状に連結されて駒体群２として形成され、これらの駒体群２１，２２，２３が枕Ｐの幅方向に平行に配設される。駒体１に備える穴１７，１７に紐５を貫通させるに際し、紐５を枕の長手方向左から右方向に複数の駒体１の一方の穴１７を通し、次いで右方の側板３を貫通して戻り紐５２として結ばれる。次いで、紐５が右から左方向に他方の穴１７を通って戻り、左方の側板３を貫通した紐５により、結び目５１として駒体群２１は側板３に結紐される。他の駒体群２２，２３についても同様に、複数の駒体１を貫通した紐５が側板３、３に結紐されて駒体群２２，２３が支えられる。そして、駒体群２１と駒体群２２の間に隙間６および駒体群２２と駒体群２３の間に隙間６が形成され、これらは通気性を促進して納涼感を醸し出す効果がある。
【００１６】
次に、数珠状に左右方向に連結する複数列の駒体群２から構成される枕Ｐの使用状態を側面図として図３に示す。複数の駒体１に紐５を通した駒体群２が両端部において左右の側板３，３に支えられる。複数列の駒体群２の上に頭Ｈを載せると、駒体群２は頭Ｈの重みで頭の形状に倣って枕Ｐの下向きに湾曲する。
【００１７】
図４は駒体１の詳細を示す図である。この駒体１は檜 、山桜、楓等の木材を乾燥させて矩形状に加工したものであり、一片が３０〜３５ｍｍ、厚さが１０〜１５ｍｍ程度の大きさのものを使用するのが好ましい。檜を使用した場合、駒体１は、ほのかな木の香りを漂わせる。駒体１は六面体で、上面１１、底面１６、側面１２，１２およびこれらと直角方向の連結面１３，１３からなる。上面１１の四辺は面取りが施されており、側面１２と直角な方向に傾斜面１４，１４が、側面１２と平行な方向に曲面１５，１５が形成される。そして、駒体１の一方の連結面１３から他方の連結面１３へ貫通するように、穴１７、１７が幅方向に平行に穿設されており、これらの穴を紐５が行き戻り貫通する。
【００１８】
紐５の材質としては、コットン、ポリエステル、アクリル、レーヨン、ＰＰ、ナイロン等の僅かながらでも弾性を有する物質が使用される。あるいは、湾曲度を高める為に、ゴムを心材として使用したストレッチコードでもよい。釣り糸や強化テトロン性の糸を使用してもよい。
【００１９】
以上のように構成され、次に作用について説明する。
【００２０】
数珠のように連結された駒体群２の上に頭Ｈを載せるので、一見痛いように思われがちである。しかし、駒体１の大きさが程よい大きさであり、かつ、上面１１が平らでこの四辺が面取りされ角が露出しないように加工されている。その結果、後頭部が多数の駒体１と接触しながら駒体群２を下方向へ押圧し、しかも紐５が適度の弾力性を有するので数珠のように連結された駒体群２は、頭Ｈの重さによって下方へ頭の形状に倣って湾曲し、接触圧は後頭部全体に分散されて痛みを感じさせるようなことがない。逆に後頭部に適度な指圧効果さえ期待できる。
【００２１】
この状態を図３に示すように、駒体群２が数珠状に連結され下向きに湾曲している。この場合、駒体１の上面１１の左右両側は隣同士の傾斜面１４、１４が向かい合っている。このため、角が競り合うことなく傾斜面１４、１４が逃げの効果を奏し駒体群２が下向きに湾曲し易い。
【００２２】
ここで、紐５は僅かながら弾性があり伸びる。このため、駒体群２が下向きに湾曲し、駒体群の上面Ｐ１の上に頭を載せた場合衝撃が軽減されて後頭部に馴染む。一方、例えば紐５が針金のように剛体の場合、頭を載せた際の衝撃が大きく痛みを伴って不快感を催すので好ましくない。
【産業上の利用可能性】
【００２３】
なお、本考案は、頭の大きさに合わせて駒体の配列を種々変えることにより、一般の枕のみならず、リビングピロウ、フットピロウ、あるいは、自動車用の枕にも適用できる。
【図面の簡単な説明】
【００２４】
【図１】本考案の実施例に係る枕の斜視図である。
【図２】同上、平面図である。
【図３】同上、使用状態を示す側面図である。
【図４】同上、駒体の詳細を示す斜視図である。
【符号の説明】
【００２５】
Ｐ  枕
Ｐ１  上面
Ｐ２  下面
Ｈ  頭
１  駒体
１１  上面
１２  側面
１３  連結面
１４  傾斜面
１５  曲面
１６  底面
１７  穴
２、２１、２２、２３  駒体群
３  側板
３１  傾斜面
３２  角面取り
４  梁板
５  紐
５１  結び目
５２  戻り紐
６  隙間
【図１】
0003126415.tif 000003
【図２】
0003126415.tif 000004
【図３】
0003126415.tif 000005
【図４】
0003126415.tif 000006